(57)【要約】【課題】  走査線を電気的にフローティング状態にすることができる表示装置を提供する。【解決手段】  表示装置は、複数の走査線と、複数のシフトレジスタ及びダミーシフトレジスタを有する走査線ドライバと、を備える。複数のシフトレジスタ及びダミーシフトレジスタは、それぞれ同一のチャネル型の複数の薄膜トランジスタで構成されている。第１走査期間Ｐｓｃ１に、第１シフトレジスタは、走査信号Ｇｎを対応する走査線及びダミーシフトレジスタにそれぞれ出力する。第１走査停止期間Ｐｐ１に、全てのシフトレジスタは、全ての走査線を電気的にフローティング状態とし、ダミーシフトレジスタは、入力された走査信号Ｇｎを保持し、前記第１走査停止期間が終了する直前にダミーシフトレジスタは走査信号を第２シフトレジスタに出力する。第２走査期間Ｐｓｃ２に、第２シフトレジスタは、走査信号Ｇｎ＋２を対応する走査線に出力する。【選択図】図１０
2019035842.tif 000002
【特許請求の範囲】
【請求項１】
複数の走査線と、
それぞれ前記複数の走査線に一対一で接続された複数のシフトレジスタと、前記複数のシフトレジスタとともに縦続接続されたダミーシフトレジスタと、を有する走査線ドライバと、を備え、
前記複数のシフトレジスタ及び前記ダミーシフトレジスタは、それぞれ同一のチャネル型の複数の薄膜トランジスタで構成され、
第１走査期間に、
前記ダミーシフトレジスタの１段前のシフトレジスタである第１シフトレジスタは、走査信号を対応する走査線及び前記ダミーシフトレジスタにそれぞれ出力し、
前記第１走査期間に続く第１走査停止期間に、
全てのシフトレジスタは、全ての走査線を電気的にフローティング状態とし、
前記ダミーシフトレジスタは、入力された前記走査信号を保持し、
前記第１走査停止期間が終了する直前に、
前記ダミーシフトレジスタは、前記走査信号を前記ダミーシフトレジスタの１段後のシフトレジスタである第２シフトレジスタに出力し、
前記第１走査停止期間に続く第２走査期間に、
前記第２シフトレジスタは、走査信号を対応する走査線に出力する、
表示装置。
【請求項２】
複数の走査線と、
それぞれ前記複数の走査線に一対一で接続された複数のシフトレジスタと、前記複数のシフトレジスタとともに縦続接続されたダミーシフトレジスタと、を有する走査線ドライバと、を備え、
前記複数のシフトレジスタ及び前記ダミーシフトレジスタは、それぞれ、第１スイッチと、前記第１スイッチに走査信号を与えるのかどうか切替える第２スイッチと、を有し、
前記複数のシフトレジスタは、それぞれ、前記第１スイッチにリセット信号を与えるのかどうか切替える第３スイッチをさらに有し、
前記第１スイッチ、前記第２スイッチ、及び前記第３スイッチは、それぞれ同一のチャネル型の薄膜トランジスタで構成され、
第１走査期間に、
前記ダミーシフトレジスタの１段前のシフトレジスタである第１シフトレジスタにおいて、前記第１スイッチは入力された第１極性の第１走査信号により導通状態に切替えられ前記第１極性の第２走査信号を対応する走査線及び前記ダミーシフトレジスタにそれぞれ出力し、
全てのシフトレジスタの前記第３スイッチのゲートに前記第１極性とは逆の極性である第２極性の信号が入力されることで各々の前記第３スイッチは非導通状態に切替えられ、
前記第１走査期間に続く第１走査停止期間に、
前記全てのシフトレジスタの前記第３スイッチのゲートに前記第１極性の信号が入力されることで各々の前記第３スイッチは導通状態に切替えられ前記第１極性とは逆の極性である第２極性の前記リセット信号を前記全てのシフトレジスタの前記第１スイッチのゲートに出力し、前記全てのシフトレジスタの前記第１スイッチを非導通状態に切替え、全ての走査線を電気的にフローティング状態とし、
前記ダミーシフトレジスタは、前記第１極性の第２走査信号を保持し、前記第１走査停止期間が終了する直前に保持した前記第１極性の第２走査信号に基づいて前記第１極性の第３走査信号を前記ダミーシフトレジスタの１段後のシフトレジスタである第２シフトレジスタに出力し、
前記第２シフトレジスタは、前記第１走査停止期間が終了する直前に、前記第２スイッチは前記ダミーシフトレジスタから入力された前記第１極性の第３走査信号により導通状態に切替えられ前記第１極性の第３走査信号を前記第１スイッチのゲートに出力し、
前記第１走査停止期間に続く第２走査期間に、
前記第２シフトレジスタにおいて、前記第１スイッチは導通状態に切替えられ前記第１極性の第４走査信号を対応する走査線に出力する、
表示装置。
【請求項３】
各々の前記シフトレジスタの前記第１スイッチは、前記対応する走査線に接続されたソースを有し、
前記第２極性のリセット信号を前記全てのシフトレジスタの前記第１スイッチのゲートに出力した際、各々の前記シフトレジスタの前記第１スイッチにおいて、前記ゲートの前記第２極性の電圧の絶対値は、前記ソースの前記第２極性の電圧の絶対値より大きい、
請求項２に記載の表示装置。
【請求項４】
前記複数の走査線が延在する表示領域と、
前記表示領域の外側の領域であり前記走査線ドライバが位置する非表示領域と、
前記表示領域に位置した検出電極と、検出部と、を有するセンサと、をさらに備え、
前記検出部は、前記第１走査停止期間に前記検出電極からセンサ信号を読取る、
請求項１又は２に記載の表示装置。
【請求項５】
複数の走査線と、
それぞれ前記複数の走査線に一対一で接続された複数のシフトレジスタを有する走査線ドライバであって、前記複数のシフトレジスタは縦続接続された、前記走査線ドライバと、を備え、
前記複数のシフトレジスタは、それぞれ同一のチャネル型の複数の薄膜トランジスタで構成され、
画像を表示する表示期間に、
全てのシフトレジスタは、前記複数の走査線を駆動し、
前記表示期間から外れた非表示期間における書込み期間に、
前記全てのシフトレジスタは、前記全ての走査線を駆動し、
前記非表示期間において前記書込み期間に続く非書込み期間に、
前記全てのシフトレジスタは、前記全ての走査線を電気的にフローティング状態とする、
表示装置。
【請求項６】
複数の走査線と、
それぞれ前記複数の走査線に一対一で接続された複数のシフトレジスタを有する走査線ドライバであって、前記複数のシフトレジスタは縦続接続された、前記走査線ドライバと、を備え、
前記複数のシフトレジスタは、それぞれ、第１スイッチと、前記第１スイッチに走査信号を与えるのかどうか切替える第２スイッチと、前記第１スイッチに制御信号を与えるのかどうか切替える第４スイッチを有し、
前記第１スイッチ、前記第２スイッチ、及び前記第４スイッチは、それぞれ同一のチャネル型の薄膜トランジスタで構成され、
画像を表示する表示期間に、
各々の前記シフトレジスタにおいて、前記第２スイッチのゲートに１段前の前記シフトレジスタから第１極性の前記走査信号が入力されることで前記第２スイッチは導通状態に切替えられ前記走査信号を前記第１スイッチのゲートに出力し、前記第１スイッチは導通状態に切替えられ前記第１極性の走査信号を対応する走査線及び１段後の前記シフトレジスタにそれぞれ出力し、
前記表示期間から外れた非表示期間における書込み期間に、
前記全てのシフトレジスタの前記第４スイッチのゲートに前記第１極性の信号が入力されることで各々の前記第４スイッチは導通状態に切替えられ前記第１極性の制御信号を各々の前記第１スイッチのゲートに出力し、全ての第１スイッチは導通状態に切替えられ前記走査信号を全ての走査線に出力し、
前記非表示期間において前記書込み期間に続く非書込み期間に、
前記全てのシフトレジスタの各々の前記第４スイッチは前記導通状態に保持され前記第１極性とは逆の極性である第２極性の制御信号を各々の前記第１スイッチのゲートに出力し、前記全ての第１スイッチを非導通状態に切替え、前記全ての走査線を電気的にフローティング状態とする、
表示装置。
【請求項７】
複数の信号線と、
複数の画素スイッチであって、各々の前記画素スイッチは対応する単個の走査線及び対応する単個の信号線にそれぞれ接続され前記複数のスイッチと同一のチャネル型の薄膜トランジスタで構成される、前記複数の画素スイッチと、
それぞれ前記複数の画素スイッチに一対一で接続された複数の画素電極と、
共通電極と、
前記複数の信号線に接続された信号線ドライバと、
前記共通電極に接続された共通電極ドライバと、を備え、
前記書込み期間に、
前記走査線ドライバは、前記第１極性の走査信号を前記全ての走査線に出力し、全ての画素スイッチを導通状態に切替え、
前記共通電極ドライバは、前記共通電極にコモン電圧を与え、
前記信号線ドライバは、全ての信号線及び前記全ての画素スイッチを介して全ての画素電極に前記コモン電圧を与え、
前記全ての画素電極に前記コモン電圧を与えた後、前記走査線ドライバは、前記第２極性の走査信号を前記全ての走査線に出力し、前記全ての画素スイッチを非導通状態に切替える、
請求項６に記載の表示装置。
【請求項８】
前記非表示期間において前記書込み期間の直前のリセット期間に、
前記全てのシフトレジスタの前記第４スイッチのゲートに前記第１極性の信号が入力されることで各々の前記第４スイッチは導通状態に切替えられ前記第２極性の制御信号を各々の前記第１スイッチのゲートに出力し前記全ての第１スイッチを非導通状態に切替える、
請求項６に記載の表示装置。
【請求項９】
前記複数のシフトレジスタは、それぞれ、対応する単個の走査線に接続され前記複数のスイッチと同一のチャネル型の薄膜トランジスタで構成された第５スイッチをさらに有し、
前記書込み期間及び前記非書込み期間に、
前記全てのシフトレジスタの各々の前記第５スイッチのゲートに前記第２極性の信号が入力されることで各々の前記第５スイッチは非導通状態に切替えられ、
前記非表示期間において前記非書込み期間に続く初期化期間に、
前記全てのシフトレジスタの各々の前記第４スイッチは前記導通状態に保持され０Ｖの電圧値を有する前記制御信号を各々の前記第１スイッチのゲートに出力し、
前記全てのシフトレジスタの各々の前記第５スイッチのゲートに前記第１極性の信号が入力され、各々の前記第５スイッチは導通状態に切替えられ０Ｖの電圧値を有する初期化信号を前記全ての走査線に出力する、
請求項６に記載の表示装置。
【請求項１０】
前記複数の走査線が延在する表示領域と、
前記表示領域の外側の領域であり前記走査線ドライバが位置する非表示領域と、
前記表示領域に位置した検出電極と、検出部と、を有するセンサと、をさらに備え、
前記検出部は、前記非書込み期間に前記検出電極からセンサ信号を読取る、
請求項５又は６に記載の表示装置。
【請求項１１】
前記非表示期間は、黒を表示する期間である、
請求項５又は６に記載の表示装置。
【請求項１２】
前記複数のシフトレジスタは、前記走査線に接続された正規のシフトレジスタと、前記走査線に接続されていないダミーシフトレジスタとに分類される、
請求項５又は６に記載の表示装置。
【発明の詳細な説明】
【技術分野】
【０００１】
本発明の実施形態は、表示装置に関する。
【背景技術】
【０００２】
液晶表示装置は、薄型、軽量かつ低消費電力であることから、各種機器のディスプレイとして用いられている。中でも、画素毎にトランジスタを配置したアクティブマトリクス型液晶表示装置は、テレビ受像機、カーナビゲーション装置等の車載用ディスプレイ、ノートパソコン、タブレット型ＰＣ、携帯電話、スマートフォンなどモバイル用端末等、様々な機器のディスプレイとして普及している。
【０００３】
近年、液晶表示装置に用いられアモルファスシリコンを使用したＴＦＴ（薄膜トランジスタ）に比べ、電子移動度が高い有機半導体、及び酸化物半導体を使用したＴＦＴの研究開発が活発化している。半導体層に有機半導体、酸化物半導体を使用したＴＦＴでは、片チャネルのトランジスタ（ｐＭＯＳ−ＴＦＴ、又はｎＭＯＳ−ＴＦＴ）が使用される。
【先行技術文献】
【特許文献】
【０００４】
【特許文献１】特開２０１２−１９１０８号公報
【発明の概要】
【発明が解決しようとする課題】
【０００５】
ところで、液晶表示装置には表示領域に走査線などの配線群を駆動する駆動回路が設けられている。このような駆動回路として、片チャネルのトランジスタ（例えば、ｎＭＯＳ−ＴＦＴ）で構成された走査線ドライバが知られている。走査線ドライバが走査線を１本ずつ順次駆動し、駆動された走査線に接続する画素に映像信号が書き込まれることで映像が表示される。上述の走査線ドライバは、入力された入力信号の位相をシフトさせて出力するシフトレジスタに片チャネルのトランジスタを使用している。
【０００６】
一方、液晶表示装置にもともと備えられている表示用の共通電極を、一対のタッチセンサ用電極のうちの一方として兼用し、他方の電極（タッチ検出電極）をこの共通電極と交差するように配置した、いわゆるインセルタイプのタッチ検出機能付きの液晶表示装置が提案されている。
【０００７】
インセルタイプのタッチ検出機能付きの液晶表示装置では、タッチ動作と表示動作とが時分割により駆動されるため、走査線の駆動を一時的に停止してタッチ動作を実行し、その後停止した走査線位置から表示のための駆動を再開する場合がある。片チャネルのトランジスタで構成された走査線ドライバでは、一時的に駆動を停止している期間中に片チャネルのトランジスタから電流がリークすることによって走査線の駆動を再開することができず、走査線の駆動が停止する可能性があった。そして、センシングの際、走査線を電気的にフローティング状態にすることが困難となる可能性があった。  
本実施形態は、走査線を電気的にフローティング状態にすることができる表示装置を提供する。
【課題を解決するための手段】
【０００８】
一実施形態に係る表示装置は、
複数の走査線と、
それぞれ前記複数の走査線に一対一で接続された複数のシフトレジスタと、前記複数のシフトレジスタとともに縦続接続されたダミーシフトレジスタと、を有する走査線ドライバと、を備え、
前記複数のシフトレジスタ及び前記ダミーシフトレジスタは、それぞれ同一のチャネル型の複数の薄膜トランジスタで構成され、
第１走査期間に、
前記ダミーシフトレジスタの１段前のシフトレジスタである第１シフトレジスタは、走査信号を対応する走査線及び前記ダミーシフトレジスタにそれぞれ出力し、
前記第１走査期間に続く第１走査停止期間に、
全てのシフトレジスタは、全ての走査線を電気的にフローティング状態とし、
前記ダミーシフトレジスタは、入力された前記走査信号を保持し、
前記第１走査停止期間が終了する直前に、
前記ダミーシフトレジスタは、前記走査信号を前記ダミーシフトレジスタの１段後のシフトレジスタである第２シフトレジスタに出力し、
前記第１走査停止期間に続く第２走査期間に、
前記第２シフトレジスタは、走査信号を対応する走査線に出力する。
【０００９】
また、一実施形態に係る表示装置は、
複数の走査線と、
それぞれ前記複数の走査線に一対一で接続された複数のシフトレジスタと、前記複数のシフトレジスタとともに縦続接続されたダミーシフトレジスタと、を有する走査線ドライバと、を備え、
前記複数のシフトレジスタ及び前記ダミーシフトレジスタは、それぞれ、第１スイッチと、前記第１スイッチに走査信号を与えるのかどうか切替える第２スイッチと、を有し、
前記複数のシフトレジスタは、それぞれ、前記第１スイッチにリセット信号を与えるのかどうか切替える第３スイッチをさらに有し、
前記第１スイッチ、前記第２スイッチ、及び前記第３スイッチは、それぞれ同一のチャネル型の薄膜トランジスタで構成され、
第１走査期間に、
前記ダミーシフトレジスタの１段前のシフトレジスタである第１シフトレジスタにおいて、前記第１スイッチは入力された第１極性の第１走査信号により導通状態に切替えられ前記第１極性の第２走査信号を対応する走査線及び前記ダミーシフトレジスタにそれぞれ出力し、
全てのシフトレジスタの前記第３スイッチのゲートに前記第１極性とは逆の極性である第２極性の信号が入力されることで各々の前記第３スイッチは非導通状態に切替えられ、
前記第１走査期間に続く第１走査停止期間に、
前記全てのシフトレジスタの前記第３スイッチのゲートに前記第１極性の信号が入力されることで各々の前記第３スイッチは導通状態に切替えられ前記第１極性とは逆の極性である第２極性の前記リセット信号を前記全てのシフトレジスタの前記第１スイッチのゲートに出力し、前記全てのシフトレジスタの前記第１スイッチを非導通状態に切替え、全ての走査線を電気的にフローティング状態とし、
前記ダミーシフトレジスタは、前記第１極性の第２走査信号を保持し、前記第１走査停止期間が終了する直前に保持した前記第１極性の第２走査信号に基づいて前記第１極性の第３走査信号を前記ダミーシフトレジスタの１段後のシフトレジスタである第２シフトレジスタに出力し、
前記第２シフトレジスタは、前記第１走査停止期間が終了する直前に、前記第２スイッチは前記ダミーシフトレジスタから入力された前記第１極性の第３走査信号により導通状態に切替えられ前記第１極性の第３走査信号を前記第１スイッチのゲートに出力し、
前記第１走査停止期間に続く第２走査期間に、
前記第２シフトレジスタにおいて、前記第１スイッチは導通状態に切替えられ前記第１極性の第４走査信号を対応する走査線に出力する。
【００１０】
また、一実施形態に係る表示装置は、
複数の走査線と、
それぞれ前記複数の走査線に一対一で接続された複数のシフトレジスタを有する走査線ドライバであって、前記複数のシフトレジスタは縦続接続された、前記走査線ドライバと、を備え、
前記複数のシフトレジスタは、それぞれ同一のチャネル型の複数の薄膜トランジスタで構成され、
画像を表示する表示期間に、
全てのシフトレジスタは、前記複数の走査線を駆動し、
前記表示期間から外れた非表示期間における書込み期間に、
前記全てのシフトレジスタは、前記全ての走査線を駆動し、
前記非表示期間において前記書込み期間に続く非書込み期間に、
前記全てのシフトレジスタは、前記全ての走査線を電気的にフローティング状態とする。
【００１１】
また、一実施形態に係る表示装置は、
複数の走査線と、
それぞれ前記複数の走査線に一対一で接続された複数のシフトレジスタを有する走査線ドライバであって、前記複数のシフトレジスタは縦続接続された、前記走査線ドライバと、を備え、
前記複数のシフトレジスタは、それぞれ、第１スイッチと、前記第１スイッチに走査信号を与えるのかどうか切替える第２スイッチと、前記第１スイッチに制御信号を与えるのかどうか切替える第４スイッチを有し、
前記第１スイッチ、前記第２スイッチ、及び前記第４スイッチは、それぞれ同一のチャネル型の薄膜トランジスタで構成され、
画像を表示する表示期間に、
各々の前記シフトレジスタにおいて、前記第２スイッチのゲートに１段前の前記シフトレジスタから第１極性の前記走査信号が入力されることで前記第２スイッチは導通状態に切替えられ前記走査信号を前記第１スイッチのゲートに出力し、前記第１スイッチは導通状態に切替えられ前記第１極性の走査信号を対応する走査線及び１段後の前記シフトレジスタにそれぞれ出力し、
前記表示期間から外れた非表示期間における書込み期間に、
前記全てのシフトレジスタの前記第４スイッチのゲートに前記第１極性の信号が入力されることで各々の前記第４スイッチは導通状態に切替えられ前記第１極性の制御信号を各々の前記第１スイッチのゲートに出力し、全ての第１スイッチは導通状態に切替えられ前記走査信号を全ての走査線に出力し、
前記非表示期間において前記書込み期間に続く非書込み期間に、
前記全てのシフトレジスタの各々の前記第４スイッチは前記導通状態に保持され前記第１極性とは逆の極性である第２極性の制御信号を各々の前記第１スイッチのゲートに出力し、前記全ての第１スイッチを非導通状態に切替え、前記全ての走査線を電気的にフローティング状態とする。
【図面の簡単な説明】
【００１２】
【図１】図１は、一実施形態に係る液晶表示装置の一構成例を概略的に示す斜視図及び回路図である。
【図２】図２は、上記実施形態に係る液晶表示装置における自己容量方式の原理を説明するための図である。
【図３】図３は、上記実施形態に係る液晶表示装置における自己容量方式の原理を説明するための図である。
【図４】図４は、上記実施形態に係る液晶表示装置の相互容量方式の代表的な基本構成を示す分解斜視図である。
【図５】図５は、上記実施形態に係る液晶表示装置のセンサの概略の構成を示す図である。
【図６】図６は、上記実施形態の液晶表示装置の相互容量方式の駆動方法を説明するための図である。
【図７】図７は、上記実施形態の液晶表示装置に用いられる複数のシフトレジスタ、複数のダミーシフトレジスタ、給電部、コントローラなどを示す回路図である。
【図８】図８は、図７に示したシフトレジスタを示す回路図である。
【図９】図９は、図７に示したダミーシフトレジスタを示す回路図である。
【図１０】図１０は、上記実施形態の実施例１の液晶表示装置の駆動方法を説明するためのタイミングチャートであり、１フレーム期間のうちの一部の期間における、各種のクロック信号、各種の制御信号、高電圧、各種の低電圧、各種の走査線の電位、コモン電圧、駆動パルスを示す図である。
【図１１】図１１は、上記実施形態の実施例２の液晶表示装置の駆動方法を説明するためのタイミングチャートであり、非表示期間における、各種の制御信号、各種のクロック信号、走査線の電位、各種の低電圧、高電圧、コモン電圧、駆動パルスを示す図である。
【図１２】図１２は、上記実施形態の変形例に係る液晶表示装置のシフトレジスタを示す回路図である。
【発明を実施するための形態】
【００１３】
以下に、本発明の実施形態及びその変形例について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。  
以下、表示装置として液晶表示装置を例として実施形態を説明する。
【００１４】
（一実施形態）
まず、一実施形態に係る液晶表示装置について説明する。  
図１は、一実施形態に係る液晶表示装置の一構成例を概略的に示す斜視図及び回路図である。
【００１５】
図１に示すように、本実施形態の液晶表示装置は、アクティブマトリクスタイプの液晶表示パネルＰＮＬを備えている。液晶表示パネルＰＮＬは、第１基板であるアレイ基板ＡＲと、アレイ基板ＡＲに対向して配置された第２基板である対向基板ＣＴと、これらのアレイ基板ＡＲと対向基板ＣＴとの間に保持された液晶層ＬＣと、を備えている。液晶表示パネルＰＮＬは、画像を表示する表示領域（アクティブエリア）ＤＡと、表示領域ＤＡの外側の非表示領域ＮＤＡと、を備えている。表示領域ＤＡは、マトリクス状に配置された複数（ｋ×ｊ個）の画素ＰＸによって構成されている（但し、ｋ及びｊは正の整数である）。
【００１６】
液晶表示パネルＰＮＬは、表示領域ＤＡにおいて、複数（ｊ本）の走査線ＧＬ（ＧＬ１〜ＧＬｊ）、複数（ｊ本）の補助容量線ＣＬ（ＣＬ１〜ＣＬｊ）、複数（ｋ本）の信号線ＳＬ（ＳＬ１〜ＳＬｋ）などを備えている。走査線ＧＬ及び補助容量線ＣＬは、例えば、第１方向Ｘに略直線的に延在している。これらの走査線ＧＬ及び補助容量線ＣＬは、第１方向Ｘに交差する第２方向Ｙに交互に並列配置されている。本実施形態において、第１方向Ｘと第２方向Ｙとは直交しているが、９０°以外の角度で交差していてもよい。信号線ＳＬは、走査線ＧＬ及び補助容量線ＣＬと交差している。
【００１７】
信号線ＳＬは、第２方向Ｙに略直線的に延在している。なお、走査線ＧＬ、補助容量線ＣＬ、及び信号線ＳＬは、必ずしも直線的に延在していなくともよく、それらの一部が屈曲していてもよい。
【００１８】
各走査線ＧＬは、表示領域ＤＡの外側に引き出され、走査線ドライバＧＤに接続されている。各信号線ＳＬは、表示領域ＤＡの外側に引き出され、信号線ドライバＳＤに接続されている。これらの走査線ドライバＧＤ及び信号線ドライバＳＤの少なくとも一部は、例えば、アレイ基板ＡＲの非表示領域ＮＤＡに形成され、駆動ＩＣチップを備えたコントローラ２と接続されている。
【００１９】
各画素ＰＸは、画素スイッチＳＷ、画素電極ＰＥ、共通電極ＣＯＭなどを備えている。なお、本実施形態における画素スイッチＳＷは、リーク電流を低減するためダブルゲート構造である。補助容量Ｃｃｓは、例えば補助容量線ＣＬと画素電極ＰＥとの間に形成される。補助容量線ＣＬは、補助容量電圧が印加される電圧印加部（図示せず）と電気的に接続されている。
【００２０】
なお、本実施形態においては、液晶表示パネルＰＮＬは、画素電極ＰＥと共通電極ＣＯＭとがアレイ基板ＡＲに形成された構成であり、これらの画素電極ＰＥと共通電極ＣＯＭとの間に形成される電界を主に利用して液晶層ＬＣの液晶分子の配向方向を制御する。
【００２１】
画素スイッチＳＷは、走査線ドライバＧＤに利用する複数のスイッチと同一のチャネル型の薄膜トランジスタ（ＴＦＴ）で構成されている。例えば、画素スイッチＳＷは、ｎチャネル型のＴＦＴによって構成されている。画素スイッチＳＷは、対応する単個の走査線ＧＬ及び対応する単個の信号線ＳＬと電気的に接続されている。画素スイッチＳＷは、トップゲート型あるいはボトムゲート型のいずれであってもよい。また、画素スイッチＳＷの半導体層は、非晶質シリコン、多結晶シリコン、有機物半導体、酸化物半導体などの半導体で形成されている。酸化物半導体の体表的な例としては、例えば、酸化インジウムガリウム亜鉛（ＩＧＺＯ）、酸化インジウムガリウム（ＩＧＯ）、インジウム亜鉛酸化物（ＩＺＯ）、亜鉛スズ酸化物（ＺｎＳｎＯ）、亜鉛酸化物（ＺｎＯ）、及び透明アモルファス酸化物半導体（ＴＡＯＳ）などが挙げられる。本実施形態において、上記半導体層は、ＴＡＯＳで形成されている。
【００２２】
複数の画素電極ＰＥは、複数の画素スイッチＳＷに一対一で電気的に接続されている。画素電極ＰＥは、各画素ＰＸに配置されている。共通電極ＣＯＭは、液晶層ＬＣを介して複数の画素ＰＸの画素電極ＰＥに対して共通に配置されている。このような画素電極ＰＥ及び共通電極ＣＯＭは、例えば、インジウム・ティン・オキサイド（ＩＴＯ）やインジウム・ジンク・オキサイド（ＩＺＯ）などの光透過性を有する導電材料によって形成されているが、アルミニウムなどの金属材料によって形成されてもよい。
【００２３】
アレイ基板ＡＲは、共通電極ＣＯＭにコモン電圧を印加するための共通電極ドライバ（図示せず）を備えている。この共通電極ドライバは、例えば、表示領域ＤＡの外側に形成されている。共通電極ＣＯＭは、表示領域ＤＡの外側に引き出され、図示しない導電部材を介して、共通電極ドライバと電気的に接続されている。なお、共通電極ドライバに関しては後述する。
【００２４】
本実施形態の液晶表示装置は、センサを備えている。センサは、液晶表示装置への被検出物の接触或いは接近を検出するためのセンシングを行う。上記被検出物としては、指などの導電性を有する物体を挙げることができる。本実施形態の液晶表示装置は、いわゆるタッチ検出機能を備えている。本実施形態のセンサは、検出方式として、相互容量方式及び自己容量方式を採用することができる。上記相互容量方式では、誘電体を介して対向する一対の電極間の静電容量の変化に基づいて、被検出物の接触或いは接近を検出できる。上記自己容量方式では、検出電極自体の容量の変化に基づいて被検出物を検出できる。次に、上記自己容量方式及び上記相互容量方式について詳しく説明する。
【００２５】
＜自己容量方式＞
図２、図３は、本実施形態の液晶表示装置における自己容量方式の原理を説明するための図である。センサＳＳは検出電極ＤＥなどを有している。  
図２は、液晶表示装置に対してユーザの指が接触も接近もしていない状態を示している。図２（１）は制御スイッチＳＷｃにより電源Ｖｄｄと検出電極ＤＥとが接続され、検出電極ＤＥがコンデンサＣｃｒに接続されていない状態を示している。この状態では、検出電極ＤＥが有する容量Ｃｘ１が充電される。図２（２）は制御スイッチＳＷｃにより、電源Ｖｄｄと検出電極ＤＥとの接続がオフされ、検出電極ＤＥとコンデンサＣｃｒとが接続された状態を示している。この状態では、容量Ｃｘ１の電荷はコンデンサＣｃｒを介して放電される。
【００２６】
図３は、液晶表示装置にユーザの指が接触又は接近している状態を示している。図３（１）は制御スイッチＳＷｃにより電源Ｖｄｄと検出電極ＤＥとが接続され、検出電極ＤＥがコンデンサＣｃｒに接続されていない状態を示している。この状態では、検出電極ＤＥが有する容量Ｃｘ１のみでなく、検出電極ＤＥに近接している利用者の指により生じる容量Ｃｘ２も充電される。図３（２）は制御スイッチＳＷｃにより、電源Ｖｄｄと検出電極ＤＥがオフされ、検出電極ＤＥとコンデンサＣｃｒとが接続された状態を示している。この状態では、容量Ｃｘ１の電荷と容量Ｃｘ２の電荷とがコンデンサＣｃｒを介して放電される。
【００２７】
ここで、図３（２）に示す放電時における容量Ｃｃｒの電圧変化特性は、容量Ｃｘ２が存在するため、図２（２）に示す放電時における容量Ｃｃｒの電圧変化特性とは明らかに異なる。したがって、自己容量方式では、容量Ｃｃｒの電圧変化特性が、容量Ｃｘ２の有り無しにより、異なることを利用して、指などの操作入力の有無を判定している。
【００２８】
＜相互容量方式＞
図４は、本実施形態の液晶表示装置の相互容量方式の代表的な基本構成を示す図である。センサＳＳは検出電極ＤＥ、共通電極ＣＯＭなどを有している。共通電極ＣＯＭは、複数のストライプ状の共通電極Ｃｏｍ１，Ｃｏｍ２，Ｃｏｍ３，・・・を含んでいる。この複数の共通電極Ｃｏｍ１，Ｃｏｍ２，Ｃｏｍ３，・・・が走査（駆動）方向（Ｙ方向またはＸ方向）に配列されている。
【００２９】
一方、検出電極ＤＥは、複数のストライプ状の検出電極Ｄｅ１，Ｄｅ２，Ｄｅ３，・・・（ストライプ状の共通電極よりも細い）を含んでいる。複数の検出電極Ｄｅ１，Ｄｅ２，Ｄｅ３，・・・は、共通電極Ｃｏｍ１，Ｃｏｍ２，Ｃｏｍ３，・・・と直交する方向（Ｘ方向またはＹ方向）に配列されている。
【００３０】
共通電極ＣＯＭと検出電極ＤＥは、上下方向に間隔を置いて配置される。このために、複数の共通電極Ｃｏｍ１，Ｃｏｍ２，Ｃｏｍ３，・・・と、複数の検出電極Ｄｅ１，Ｄｅ２，Ｄｅ３，・・・との間には、基本的に容量Ｃｃが存在する。
【００３１】
複数の共通電極Ｃｏｍ１，Ｃｏｍ２，Ｃｏｍ３，・・・は所定の周期で駆動パルス（書込み信号）Ｖｗにより走査される。今、ユーザの指が検出電極Ｄｅ２に近接して存在するものとする。すると、共通電極Ｃｏｍ２に駆動パルスＶｗが供給されたときに、検出電極Ｄｅ２からは、他の検出電極Ｄｅから得られるパルスよりもレベルの低いパルスが得られる。
【００３２】
指で表される容量Ｃｘは、ユーザの指が検出電極ＤＥに近い場合と、遠い場合とで異なる。このために検出パルス（読取り信号）Ｖｒのレベルもユーザの指が検出電極ＤＥに近い場合と、遠い場合とで異なる。よって、液晶表示装置の入力面に対する指の近接度を検出パルスＶｒのレベルで判断することができる。勿論、駆動パルスＶｗによる電極駆動タイミングと、検出パルスＶｒの出力タイミングにより、液晶表示装置の入力面上の指の２次元上の位置を検出することができる。
【００３３】
図５は、本実施形態の液晶表示装置のセンサＳＳの概略の構成を示す図である。図５（１）は液晶表示装置の断面図を示し、図５（２）はセンサＳＳの構成を示す平面図を示している。
【００３４】
図５（１）に示すように、液晶表示装置は、アレイ基板ＡＲと、対向基板ＣＴと、アレイ基板ＡＲと対向基板ＣＴとの間に保持された液晶層ＬＣと、を備えている。  
なお、以下では説明の簡略のために、上述の共通電極Ｃｏｍ１，Ｃｏｍ２，Ｃｏｍ３，・・・を共通電極ＣＯＭと表す。また、検出電極Ｄｅ１，Ｄｅ２，Ｄｅ３，・・・を検出電極ＤＥと表す。
【００３５】
アレイ基板ＡＲは、ＴＦＴ基板１０と、共通電極ＣＯＭと、を備えている。ＴＦＴ基板１０は、ガラス基板等の透明な絶縁基板と、上述した画素スイッチＳＷなどの複数のスイッチング素子と、上述した信号線ＳＬ、走査線ＧＬ等の各種配線と、これらを覆う絶縁膜である平坦化層と、を備えている。共通電極ＣＯＭは、ＴＦＴ基板１０の上に配置され絶縁層で覆われている。共通電極ＣＯＭは、センサ用駆動電極としても用いられる。そして、本実施形態では、共通電極ＣＯＭは走査線ＧＬが延在する方向と同じ方向に延在している。
【００３６】
対向基板ＣＴは、ガラス基板等の透明な絶縁基板１５と、カラーフィルタＣＦと、検出電極ＤＥと、偏光板ＰＬと、を備えている。カラーフィルタＣＦは、絶縁基板１５上に配置されている。カラーフィルタＣＦは、オーバーコート層ＯＣで覆われている。検出電極ＤＥは、絶縁基板１５の外側（カラーフィルタＣＦと反対側）の主面に配置されている。検出電極ＤＥは、共通電極ＣＯＭが延びた方向（第１方向）と略直交する方向（第２方向）に延びるとともに、第１方向に複数並んだストライプ状に配置されている。検出電極ＤＥは、例えばＩＴＯやＩＺＯ等の透明な導電材料によって形成されている。偏光板ＰＬは、検出電極ＤＥ上（絶縁基板１５のカラーフィルタＣＦと反対側）に配置されている。
【００３７】
図５（２）は、上述の共通電極ＣＯＭと検出電極ＤＥとの一構成例を説明するための図である。本実施形態の液晶表示装置は、センサＳＳの検出部としての検出ドライバＴＰＩＣとディスプレイドライバＤＤＩとをさらに備えている。ディスプレイドライバＤＤＩは、共通電極ＣＯＭを駆動するための共通電極ドライバＣＤなどを有している。センシング期間に、検出ドライバＴＰＩＣとディスプレイドライバＤＤＩとは協働する。具体的には、ディスプレイドライバＤＤＩは共通電極ＣＯＭに駆動パルス（書込み信号）Ｖｗを書込み、検出ドライバＴＰＩＣは検出電極ＤＥから検出パルス（センサ信号，読取り信号）Ｖｒを読取る。検出ドライバＴＰＩＣは、駆動パルスＶｗを入力した共通電極ＣＯＭの位置と、検出パルスＶｒの波形とから指の入力位置情報を把握する。ここで、上記入力位置情報の算出は、不図示の外部装置が行うように構成することができる。
【００３８】
図６は、本実施形態の液晶表示装置の相互容量方式の駆動方法を説明するための図である。  
図６（１）には、共通電極ＣＯＭの駆動単位電極Ｔｕを示している。駆動単位電極Ｔｕ１、・・・ＴｕＮはそれぞれ連続する複数のストライプ状の共通電極Ｃｏｍで構成されている。上述のように、映像表示に使用される共通電極ＣＯＭは、センシング用としても使用される。映像表示のための共通電極ＣＯＭの駆動と、センシングのための共通電極ＣＯＭの駆動とは、タイムシェアリングにより行われる。
【００３９】
図６（２）に示す駆動方式では、１フレーム期間を複数のユニットで構成する。１ユニット内は、映像を表示する期間とセンシングを行う期間とに分割される。映像表示期間とセンシング期間とが交互に繰り返されて１フレーム期間が構成される。本実施形態において、上記複数の画素ＰＸの種類は、赤色（Ｒ）の画素、緑色（Ｇ）の画素、及び青色（Ｂ）の画素の３種類が挙げられる。
【００４０】
映像表示期間に、上記共通電極ドライバＣＤは駆動単位電極Ｔｕ（複数の共通電極Ｃｏｍ）にコモン電圧Ｖｃｏｍを印加し、上記走査線ドライバＧＤは対応する走査線ＧＬに走査信号を与え、上記信号線ドライバＳＤはＲＧＢの３色を選択する信号（ＳＥＬＲ／Ｇ／Ｂ）に対応して色毎の映像信号（ＳＩＧ）を対応する信号線ＳＬに与える。
【００４１】
一方、映像表示期間の後のセンシング期間では、共通電極ドライバＣＤは駆動単位電極Ｔｕ（複数の共通電極Ｃｏｍ）に駆動パルスＶｗを印加し、上記検出ドライバＴＰＩＣは検出電極ＤＥから検出パルスＶｒを読取り、上記相互容量方式による検出動作を実行する。そして、分割された複数の映像表示行と複数の駆動単位電極Ｔｕ（Ｔｕ１、・・・、ＴｕＮ）について上述の動作を順次繰り返して実行する。
【００４２】
続いて、第１の実施の形態の液晶表示装置に用いられる複数のシフトレジスタ及び複数のダミーシフトレジスタの構成と動作について説明する。図７は、上記実施形態の液晶表示装置に用いられる複数のシフトレジスタＳＲ、複数のダミーシフトレジスタＤＳ、給電部１、コントローラ２などを示す回路図である。
【００４３】
図７に示すように、走査線ドライバＧＤは、複数のシフトレジスタＳＲと、少なくとも１個のダミーシフトレジスタＤＳと、を有している。本実施形態において、走査線ドライバＧＤは、複数のダミーシフトレジスタＤＳを有している。複数のダミーシフトレジスタＤＳは、複数の走査線ＧＬに一対一で接続されている。ダミーシフトレジスタＤＳは、複数のシフトレジスタＳＲとともに縦続接続されている。複数のシフトレジスタＳＲと、少なくとも１個のダミーシフトレジスタＤＳとは、交互に設けられている。  
上記のことから、走査線ドライバＧＤの複数のシフトレジスタは、走査線ＧＬに接続された正規のシフトレジスタＳＲと、走査線ＧＬに接続されていないダミーシフトレジスタＤＳとに分類される。
【００４４】
パルス信号であるクロック信号ＣＫＡ，ＣＫＢ，ＣＫＣ，ＣＫＤに同期したトリガ信号であるスタートパルス信号ＳＴは、走査線ドライバＧＤの初段のシフトレジスタＳＲ１に入力される。走査線ドライバＧＤにおいて、シフトレジスタＳＲ及びダミーシフトレジスタＤＳは、スタートパルス信号ＳＴを、順次次段のダミーシフトレジスタＤＳ及びシフトレジスタＳＲに転送し、その転送動作に同期してパルス信号である走査信号Ｇ１，Ｇ２，Ｇ３，・・・を順次出力する。
【００４５】
シフトレジスタＳＲ及びダミーシフトレジスタＤＳは、８相のクロック信号ＣＫＡ，ＣＫＢ，ＣＫＣ，ＣＫＤ，ＣＫＯＡ，ＣＫＯＢ，ＣＫＯＣ，ＣＫＯＤで駆動されるよう構成されている。各々のシフトレジスタＳＲ及びダミーシフトレジスタＤＳには、クロック信号ＣＫＡ，ＣＫＢ，ＣＫＣ，ＣＫＤのうち３つの位相のクロック信号と、クロック信号ＣＫＯＡ，ＣＫＯＢ，ＣＫＯＣ，ＣＫＯＤのうち１つの位相のクロック信号とが対応付けられている。
【００４６】
クロック信号ＣＫＡ，ＣＫＢ，ＣＫＣ，ＣＫＤは、それぞれ１Ｈ（１水平駆動期間）幅のパルスを有している。すなわち、クロック信号ＣＫＡ，ＣＫＢ，ＣＫＣ，ＣＫＤは、４Ｈ（４水平駆動期間）を周期として繰り返して発生される。具体的には、クロック信号はＣＫＡ，ＣＫＢ，ＣＫＣ，ＣＫＤ，ＣＫＡ，・・・の順序で生成され、対応するシフトレジスタＳＲ及び対応するダミーシフトレジスタＤＳに供給される。
【００４７】
同様に、クロック信号ＣＫＯＡ，ＣＫＯＢ，ＣＫＯＣ，ＣＫＯＤは、それぞれ１Ｈ（１水平駆動期間）幅のパルスを有し、４Ｈ（４水平駆動期間）を周期として繰り返して発生される。具体的には、クロック信号はＣＫＯＡ，ＣＫＯＢ，ＣＫＯＣ，ＣＫＯＤ，ＣＫＯＡ，・・・の順序で生成され、対応するシフトレジスタＳＲ及び対応するダミーシフトレジスタＤＳに供給される。
【００４８】
シフトレジスタＳＲ及びダミーシフトレジスタＤＳを表す四角のブロックの右側には、入出力信号に対応した３つの信号端子が設けられている。右側の上段の信号端子には、前段のシフトレジスタＳＲ又はダミーシフトレジスタＤＳからの出力信号（走査信号Ｇ）が入力される。なお、初段のシフトレジスタＳＲ１の右側の上段の信号端子には、スタートパルス信号ＳＴが入力される。右側の中段の信号端子からは、出力信号である走査信号Ｇが出力される。この出力信号は次段のシフトレジスタＳＲ又はダミーシフトレジスタＤＳへの入力信号となる。右側の下段の信号端子には、２段後に設けられたシフトレジスタＳＲ又はダミーシフトレジスタＤＳからの出力信号が入力される。
【００４９】
ここで、シフトレジスタＳＲに関して、上記右側の中段の信号端子は走査線ＧＬに接続されている。シフトレジスタＳＲは、走査信号Ｇである走査信号ＧＳを走査線ＧＬに出力する。例えば、初段のシフトレジスタＳＲ１は走査信号Ｇ１である走査信号ＧＳ１を走査線ＧＬ１に出力する。シフトレジスタＳＲ１の次のシフトレジスタＳＲである３段目のシフトレジスタＳＲ３は走査信号Ｇ３である走査信号ＧＳ２を走査線ＧＬ２に出力する。
【００５０】
上記ブロックの左側には、クロック信号に対応した４つの信号端子と、制御信号ＦＤＯＮ１，ＦＤＯＮ２に対応した２つの信号端子と、が設けられている。シフトレジスタＳＲに関しては、左側の下段に、制御信号ＲＳＴに対応した１つの信号端子がさらに設けられている。
【００５１】
走査線ドライバＧＤにおいて、４ｍ−３段目の各々のシフトレジスタＳＲ（４ｍ−３）とコントローラ２との接続関係は同一であり、４ｍ−２段目の各々のダミーシフトレジスタＤＳ（４ｍ−２）とコントローラ２との接続関係は同一であり、４ｍ−１段目の各々のシフトレジスタＳＲ（４ｍ−１）とコントローラ２との接続関係は同一であり、４ｍ段目の各々のダミーシフトレジスタＤＳ（４ｍ）とコントローラ２との接続関係は同一である。ここで上記ｍは正の整数である（ｍ＝１，２，・・・）。
【００５２】
各々のシフトレジスタＳＲ及びダミーシフトレジスタＤＳには、給電部１から電源電圧（高電圧ＶＧＨ、低電圧ＶＧＬ１，ＶＧＬ２）が与えられる。例えば、高電圧ＶＧＨは＋５Ｖ、低電圧ＶＧＬ１は−５Ｖ、低電圧ＶＧＬ２は−７Ｖである。上記の場合、低電圧ＶＧＬ２の絶対値は、低電圧ＶＧＬ１の絶対値より大きい。
【００５３】
なお、ダミーシフトレジスタＤＳの個数は、本実施形態の個数に限らず、種々変形可能である。  
例えば、ダミーシフトレジスタＤＳの個数は、本実施形態の個数より多くともよい。本実施形態のシフトレジスタＳＲは走査線ドライバＧＤにおいて１つ置きに設けられているが、上記の場合のシフトレジスタＳＲは走査線ドライバＧＤにおいて２つ置きに設けられていてもよい。言い換えると、連続するシフトレジスタＳＲの間に２個のダミーシフトレジスタＤＳが設けられていてもよい。  
また、ダミーシフトレジスタＤＳの個数は、本実施形態の個数より少なくともよい。本実施形態のダミーシフトレジスタＤＳは走査線ドライバＧＤにおいて１つ置きに設けられているが、上記の場合のダミーシフトレジスタＤＳは走査線ドライバＧＤにおいて２つ置きに設けられていてもよい。
【００５４】
図８は、図７に示したシフトレジスタＳＲを示す回路図である。ここでは、走査線ドライバＧＤの４ｍ−３段目に相当するｎ段目のシフトレジスタＳＲｎを表している。複数のシフトレジスタＳＲを代表してシフトレジスタＳＲｎについて説明する。  
図８に示すように、シフトレジスタＳＲｎは、第１スイッチＴ１、第２スイッチＴ２、第３スイッチＴ３、第４スイッチＴ４、第５スイッチＴ５、第６スイッチＴ６、第７スイッチＴ７、第８スイッチＴ８、第９スイッチＴ９、第１０スイッチＴ１０、第１１スイッチＴ１１、第１２スイッチＴ１２、第１３スイッチＴ１３、第１４スイッチＴ１４、第１５スイッチＴ１５、キャパシタＣ１、及びキャパシタＣ２を有している。
【００５５】
第１乃至第１５スイッチＴ１乃至Ｔ１５は、それぞれ同一のチャネル型のＴＦＴで構成され、例えば、ｎチャネル型のＴＦＴによって構成されている。これら各ＴＦＴは酸化物半導体を使用している。また、これらｎチャネル型の各ＴＦＴはゲートにＨ（Ｈｉｇｈ）レベルの電圧が印加されるとオン（ソース−ドレイン端子間が電気的に導通）し、Ｌ（Ｌｏｗ）レベルの電圧が印加されるとオフ（ソース−ドレイン端子間が電気的に遮断）する。本実施形態において、上記Ｈレベルは第１極性であり、上記Ｌレベルは第１極性とは逆の極性である第２極性である。
【００５６】
シフトレジスタＳＲｎは、走査信号ＧＳ［（ｎ＋１）／２］でもある走査信号Ｇｎを（ｎ＋１）／２行目の走査線ＧＬ［（ｎ＋１）／２］に出力する出力端子ＯＵＴを有している。また、シフトレジスタＳＲｎは、（１）クロック信号が入力される６つの入力端子ＩＮ１，ＩＮ２，ＩＮ３，ＩＮ４，ＩＮ５，ＩＮ６と、（２）出力動作期間の開始時を表すトリガ信号が入力される入力端子ＩＮ７と、（３）終了時を表すトリガ信号が入力される入力端子ＩＮ８と、（４）出力動作を強制終了する制御信号が入力される入力端子ＩＮ９，ＩＮ１０と、（５）別途、出力動作を強制終了する制御信号が入力される入力端子ＩＮ１１と、を備えている。
【００５７】
入力端子ＩＮ１にはクロック信号（ここでは、ＣＫＯＡ）が入力され、入力端子ＩＮ２，ＩＮ６にはクロック信号（ここでは、ＣＫＤ）が入力され、入力端子ＩＮ３，ＩＮ４にはクロック信号（ここでは、ＣＫＢ）が入力され、入力端子ＩＮ５にはクロック信号（ここでは、ＣＫＣ）が入力される。なお、初段のシフトレジスタＳＲ１の入力端子ＩＮ７には、コントローラ２からスターとパルス信号ＳＴが入力される。入力端子ＩＮ７には、１段前のダミーシフトレジスタＤＳ（ｎ−１）から走査信号Ｇ（ｎ−１）が入力される。入力端子ＩＮ８には、２段後のシフトレジスタＳＲ（ｎ＋２）から走査信号Ｇ（ｎ＋２）が入力される。入力端子ＩＮ９には制御信号ＦＤＯＮ１が入力され、入力端子ＩＮ１０には制御信号ＦＤＯＮ２が入力される。入力端子ＩＮ１１には制御信号ＲＳＴが入力される。
【００５８】
第１スイッチＴ１は、入力端子ＩＮ１に接続されたドレインと、出力端子ＯＵＴに接続されたソースとを有している。第１スイッチＴ１のゲートとソースとの間にはキャパシタＣ１が接続されている。トランジスタＴ５は、ノードＮＢがＨレベルとなる期間にオンし、この期間内に入力端子ＩＮ１に入力されるクロック信号ＣＫＯＡを取り込み、出力端子ＯＵＴに走査信号Ｇｎとして出力する。
【００５９】
第２スイッチＴ２は第１０スイッチＴ１０を介してダイオード接続され、第２スイッチＴ２のドレインとゲートとは電気的に接続されている。第２スイッチＴ２は、第１スイッチＴ１に走査信号Ｇ（ｎ−１）又はスタートパルス信号ＳＴを与えるのかどうか切替える。第２スイッチＴ２は、第１スイッチＴ１のゲートと電気的に接続するノードＮＢにＨレベルの走査信号Ｇ（ｎ−１）又はＨレベルのスタートパルス信号ＳＴを与える。なお、シフトレジスタＳＲｎは、必要に応じて第１０スイッチＴ１０を用いればよく、第２スイッチＴ２は第１０スイッチＴ１０を介すること無しにダイオード接続されていてもよい。
【００６０】
第１１スイッチＴ１１は第１２スイッチＴ１２を介してダイオード接続され、第１１スイッチＴ１１のドレインとゲートとは電気的に接続されている。第１１スイッチＴ１１は、第１スイッチＴ１に走査信号Ｇ（ｎ＋２）を与えるのかどうか切替える。第１１スイッチＴ１１は、ノードＮＢにＨレベルの走査信号Ｇ（ｎ＋２）を与える。なお、シフトレジスタＳＲｎは、必要に応じて第１２スイッチＴ１２を用いればよく、第１１スイッチＴ１１は第１２スイッチＴ１２を介すること無しにダイオード接続されていてもよい。
【００６１】
第３スイッチＴ３は、ノードＮＢと低電圧ＶＧＬ（ここでは、ＶＧＬ２）が印加されている配線との間の接続状態を切替える。第３スイッチＴ３は、ゲートに入力される制御信号ＲＳＴに応じて低電圧ＶＧＬ２であるリセット信号を第１スイッチＴ１に与えるのかどうか切替える。第３スイッチＴ３は、ゲートにＨレベルの制御信号ＲＳＴが入力されるとオンし、ノードＮＢにＬレベルのリセット信号を与える。
【００６２】
第４スイッチＴ４は、入力端子ＩＮ９に接続されたドレインと、ノードＮＢに接続されたソースと、入力端子ＩＮ１０に接続されたゲートと、を有している。第４スイッチＴ４は、ゲートに入力される制御信号ＦＤＯＮ２に応じて制御信号ＦＤＯＮ１を第１スイッチＴ１に与えるのかどうか切替える。
【００６３】
第５スイッチＴ５は、ノードＮＡと低電圧ＶＧＬ（ここでは、ＶＧＬ１）が印加されている配線との間の接続状態を切替える。シフトレジスタＳＲｎの第５スイッチＴ５は、対応する単個の走査線ＧＬ［（ｎ＋１）／２］に接続されている。第５スイッチＴ５は、ゲートに入力されるクロック信号ＣＫＢに応じて低電圧ＶＧＬ１を第１スイッチＴ１に与えるのかどうか切替える。第５スイッチＴ５は、ゲートにＨレベルのクロック信号ＣＫＢが入力されるとオンし、ノードＮＡに低電圧ＶＧＬ１であるＬレベルの信号を与える。
【００６４】
第５スイッチＴ５と同様、第６乃至第８スイッチＴ６乃至Ｔ８も、それぞれ、ノードＮＡと低電圧ＶＧＬ（ここでは、ＶＧＬ１）が印加されている配線との間の接続状態を切替える。第６スイッチＴ６は、ゲートにＨレベルのクロック信号ＣＫＣが入力されるとオンする。第７スイッチＴ７は、ゲートにＨレベルのクロック信号ＣＫＤが入力されるとオンする。第８スイッチＴ８は、ゲートに接続されるノードＮＣの電位に応じてオン／オフが制御される。
【００６５】
第９スイッチＴ９は、ノードＮＣと低電圧ＶＧＬ（ここでは、ＶＧＬ２）が印加されている配線との間の接続状態を切替える。第３スイッチＴ３は、ゲートに入力される制御信号ＲＳＴに応じて低電圧ＶＧＬ２であるＬレベルの信号をノードＮＣに与えるのかどうか切替える。第９スイッチＴ９は、ゲートにＨレベルの制御信号ＲＳＴが入力されるとオンし、ノードＮＣにＬレベルの信号を与える。
【００６６】
第１３スイッチＴ１３は、ノードＮＢと低電圧ＶＧＬ（ここでは、ＶＧＬ２）が印加されている配線との間の接続状態を切替える。第１３スイッチＴ１３は、ゲートに接続されるノードＮＣの電位に応じてオン／オフが制御される。  
第１４スイッチＴ１４は、ノードＮＣと低電圧ＶＧＬ（ここでは、ＶＧＬ２）が印加されている配線との間の接続状態を切替える。第１４スイッチＴ１４は、ゲートに接続されるノードＮＢの電位に応じてオン／オフが制御される。  
第１５スイッチＴ１５は、ノードＮＢと低電圧ＶＧＬ（ここでは、ＶＧＬ２）が印加されている配線との間の接続状態を切替える。第１５スイッチＴ１５は、ゲートにＨレベルのクロック信号ＣＫＣが入力されるとオンし、ノードＮＢに低電圧ＶＧＬ２であるＬレベルの信号を与える。
【００６７】
入力端子ＩＮ１とノードＮＣとの間にはキャパシタＣ２が接続されている。シフトレジスタＳＲｎが出力端子ＯＵＴに走査信号Ｇｎを出力していない状態において、入力端子ＩＮ１にＨレベルのクロック信号ＣＫＯＡが入力された場合、キャパシタＣ２を介してノードＮＣの電位を高くして第８スイッチＴ８及び第１３スイッチＴ１３をそれぞれ動作させ、ノードＮＢに低電圧ＶＧＬ２を与えノードＮＢの電位を保持し、ノードＮＡに低電圧ＶＧＬ１を与えノードＮＡの電位を保持する。
【００６８】
図９は、図７に示したダミーシフトレジスタＤＳを示す回路図である。ここでは、走査線ドライバＧＤの４ｍ−２段目に相当するｎ＋１段目のダミーシフトレジスタＤＳ（ｎ＋１）を表している。複数のダミーシフトレジスタＤＳを代表してダミーシフトレジスタＤＳ（ｎ＋１）について説明する。  
図９に示すように、ダミーシフトレジスタＤＳ（ｎ＋１）は、第３スイッチＴ３、及び第９スイッチＴ９を有していない以外、シフトレジスタＳＲと同様に構成されている。言うまでもないが、複数のシフトレジスタＳＲ及び複数のダミーシフトレジスタＤＳは、それぞれ同一のチャネル型の複数のＴＦＴで構成されている。
【００６９】
シフトレジスタＳＲのノードＮＢにＬレベルのリセット信号が与えられても、ダミーシフトレジスタＤＳ（ｎ＋１）のノードＮＢに上記リセット信号が与えられることは無いため、ダミーシフトレジスタＤＳ（ｎ＋１）はノードＮＢの情報（電位）を保持することができる。  
以上のように、本実施形態の液晶表示装置は構成されている。
【００７０】
本実施形態の液晶表示装置は、図６に示した駆動方法と異なる他の複数の駆動方法にも対応している。次に、上記他の複数の駆動方法について説明する。以下に、実施例１の液晶表示装置の駆動方法と、実施例２の液晶表示装置の駆動方法と、について説明する。特に、信号線ドライバＳＤの動作について説明する。
【００７１】
（実施例１）
まず、実施例１の液晶表示装置の駆動方法について説明する。実施例１では、図６に示した駆動方法と同様、１フレーム期間内に、映像（画像）表示期間とセンシング期間とを設定することができる。
【００７２】
ここで、実施例１の液晶表示装置の駆動方法の概要を、ｎ段目のシフトレジスタＳＲｎ、ｎ＋１段目のダミーシフトレジスタＤＳｎ＋１、及びｎ＋２段目のシフトレジスタＳＲｎ＋２を含む複数のシフトレジスタＳＲ及び複数のダミーシフトレジスタＤＳを用いて説明する。なお、シフトレジスタＳＲｎを第１シフトレジスタと称し、シフトレジスタＳＲｎ＋２を第２シフトレジスタと称する場合がある。  
例えば、１フレーム期間は、第１走査期間Ｐｓｃ１、上記第１走査期間に続く第１走査停止期間Ｐｐ１、上記第１走査停止期間に続く第２走査期間Ｐｓｃ２などを有している。
【００７３】
第１走査期間Ｐｓｃ１に、シフトレジスタＳＲｎは、走査信号Ｇｎを対応する走査線ＧＬ［（ｎ＋１）／２］及びダミーシフトレジスタＤＳｎ＋１にそれぞれ出力する。  
第１走査停止期間Ｐｐ１に、全てのシフトレジスタＳＲは、全ての走査線ＧＬを電気的にフローティング状態とし、ダミーシフトレジスタＤＳｎ＋１は、入力された走査信号Ｇｎを保持する。  
第１走査停止期間Ｐｐ１が終了する直前に、ダミーシフトレジスタＤＳｎ＋１は、走査信号Ｇｎ＋１をシフトレジスタＳＲｎ＋２に出力する。  
第２走査期間Ｐｓｃ２に、シフトレジスタＳＲｎ＋２は、走査信号Ｇｎ＋２を対応する走査線ＧＬ［（ｎ＋１）／２＋１］に出力する。
【００７４】
次に、図１０、及び図７乃至９を用い、実施例１の液晶表示装置の駆動方法について詳細に説明する。図１０は、上記実施形態の実施例１の液晶表示装置の駆動方法を説明するためのタイミングチャートである。図１０には、１フレーム期間のうちの一部の期間における、各種のクロック信号ＣＫ，ＣＫＯ、各種の制御信号ＲＳＴ，ＦＤＯＮ、高電圧ＶＧＨ、各種の低電圧ＶＧＬ、各種の走査線ＧＬの電位、コモン電圧Ｖｃｏｍ、駆動パルスＶｗを示す図である。なお、走査期間Ｐｓｃの長さと、走査停止期間Ｐｐの長さとは、同一であってもよく、又は異なっていてもよい。
【００７５】
図１０、及び図７乃至９に示すように、第１走査期間Ｐｓｃ１の前の走査停止期間Ｐｐ０において、センシング期間Ｐｓｓが経過した後、制御信号ＲＳＴのレベルはＬレベルであり、クロック信号ＣＫＯＤのレベルはＬレベルからＨレベルに切替る。これにより、ダミーシフトレジスタＤＳｎ−１は、Ｈレベルのクロック信号ＣＫＯＤを第１走査信号Ｇｎ−１としてシフトレジスタＳＲｎに出力する。  
シフトレジスタＳＲｎにおいて、第２スイッチＴ２のゲートにＨレベル（ここでは、第１極性）の第１走査信号Ｇｎ−１が入力されることで第２スイッチＴ２は導通状態に切替えられ、第１０スイッチＴ１０のゲートにＨレベルのクロック信号ＣＫＤが入力されることで第１０スイッチＴ１０は導通状態に切替えられ、第１走査信号Ｇｎ−１を第１スイッチＴ１のゲートに出力する。また、第１４スイッチＴ１４も導通状態に切替えられ、第１４スイッチＴ１４は、低電圧ＶＧＬ２をノードＮＣに出力する。
【００７６】
第１走査期間Ｐｓｃ１に、シフトレジスタＳＲｎにおいて、第１スイッチＴ１は導通状態に切替えられ、Ｈレベルのクロック信号ＣＫＯＡをＨレベルの第２走査信号Ｇｎとして対応する走査線ＧＬ［（ｎ＋１）／２］及びダミーシフトレジスタＤＳｎ＋１にそれぞれ出力する。その際、入力端子ＩＮ１にＨレベルのクロック信号ＣＫＯＡのパルスが入力すると、ブートストラップ効果によって、第１スイッチＴ１のソース−ゲート間に接続されたキャパシタＣ１を介してノードＮＢの電位がさらに上昇するものである。
【００７７】
ここで、第１走査期間Ｐｓｃ１において制御信号ＲＳＴのレベルはＬレベル（ここでは、第２極性）である。このため、第１走査期間Ｐｓｃ１に、全てのシフトレジスタＳＲの第３スイッチＴ３のゲートにＬレベルの信号（制御信号ＲＳＴ）が入力されるため、各々の第３スイッチＴ３は非導通状態に切替えられている。同様に、各々の第９スイッチＴ９も非導通状態に切替えられている。  
また、クロック信号ＣＫＢ，ＣＫＣ，ＣＫＤのレベル、制御信号ＦＤＯＮ２のレベルはＬレベルである。シフトレジスタＳＲｎにおいて、スイッチＴ４，Ｔ５，Ｔ６，Ｔ７，Ｔ１０，Ｔ１２も非導通状態に切替えられている。
【００７８】
続いて、第１走査停止期間Ｐｐ１に、全てのシフトレジスタＳＲの第３スイッチＴ３のゲートにＨレベルの信号（制御信号ＲＳＴ）が入力されることで各々の第３スイッチＴ３は導通状態に切替えられ、低電圧ＶＧＬ２であるＬレベルのリセット信号を全てのシフトレジスタＳＲの第１スイッチＴ１のゲートに出力し、全てのシフトレジスタＳＲの第１スイッチＴ１を非導通状態に切替える。少なくともセンシング期間Ｐｓｓに、制御信号ＲＳＴと、各種のクロック信号ＣＫ，ＣＫＯは、Ｌレベルに保持される。これにより、全ての走査線ＧＬを電気的にフローティング状態とすることができる。
【００７９】
そして、全ての走査線ＧＬをハイインピーダンス（Hi-z）にすることができる。例えば、走査線ＧＬ［（ｎ＋１）／２］は、Ｈレベルの第２走査信号Ｇｎが与えられた後であるため、＋５Ｖ付近の電位に保持される。走査線ＧＬ［（ｎ＋１）／２］以外の走査線ＧＬは、第５スイッチＴ５、第６スイッチＴ６、又は第７スイッチＴ７を介して低電圧ＶＧＬ１が与えられた後であるため、−５Ｖ付近の電位に保持される。
【００８０】
各々のシフトレジスタＳＲの第１スイッチＴ１のゲートに入力されるＬレベルの信号の電圧の絶対値のうち、Ｌレベルのリセット信号の電圧（低電圧ＶＧＬ２）の絶対値は、最も大きい。Ｌレベルのリセット信号を全てのシフトレジスタＳＲの第１スイッチＴ１のゲートに出力した際、各々のシフトレジスタＳＲの第１スイッチＴ１において、ゲートのＬレベル（第２極性）の電圧の絶対値は、ソースのＬレベル（第２極性）の電圧の絶対値より大きい。なお、ノードＮに注目すると、相対的にノードＮＢの電位をノードＮＡの電位より低く設定することができる。このため、ｎチャネル型のＴＦＴである第１スイッチＴ１の閾値電圧がシフトしても、第１スイッチＴ１を確実にオフにすることができる。
【００８１】
第１走査停止期間Ｐｐ１のセンシング期間Ｐｓｓに、上記ディスプレイドライバＤＤＩは、対象の共通電極Ｃｏｍｈ（駆動単位電極Ｔｕｉ）に駆動パルスＶｗを書込み、非対象の共通電極Ｃｏｍｐ（駆動単位電極Ｔｕｑ）には０Ｖ（ＧＮＤレベル）のコモン電圧Ｖｃｏｍを与えたままとする。検出ドライバＴＰＩＣは、任意の検出電極Ｄｅから検出パルスＶｒを読取る。上記のように、１フレーム期間の途中でセンシングを行うことが可能である。
【００８２】
センシング期間Ｐｓｓに、共通電極ＣＯＭと走査線ＧＬの間に不所望に形成される寄生容量（浮遊容量）を低減することができる。すなわち、共通電極ＣＯＭの負荷（抵抗）を低減することができ、例えば、共通電極ＣＯＭへの駆動パルスＶｗの高速書込みが可能となる。このため、センサＳＳによるセンシングの速度の向上を図ることができる。又は、センサＳＳによるセンシングの精度の向上を図ることができる。
【００８３】
上記第１走査停止期間Ｐｐ１のセンシング期間Ｐｓｓに、ダミーシフトレジスタＤＳｎ＋１のスイッチＴ４，Ｔ５，Ｔ６，Ｔ７，Ｔ１０，Ｔ１２は、それぞれ非導通状態に切替えられている。このため、ダミーシフトレジスタＤＳｎ＋１は、ノードＮＢに与えられたＨレベルの第２走査信号Ｇｎを保持する。
【００８４】
第１走査停止期間Ｐｐ１が終了する直前の期間（第１走査停止期間Ｐｐ１内においてセンシング期間Ｐｓｓが経過した後の期間）に、クロック信号ＣＫＯＢのレベルはＬレベルからＨレベルに切替る。これにより、ダミーシフトレジスタＤＳｎ＋１は、Ｈレベルのクロック信号ＣＫＯＢを第３走査信号Ｇｎ＋１としてシフトレジスタＳＲｎ＋２に出力する。
【００８５】
上記の期間、シフトレジスタＳＲｎ＋２において、第２スイッチＴ２のゲートにＨレベルの第３走査信号Ｇｎ＋１が入力されることで第２スイッチＴ２は導通状態に切替えられ、第１０スイッチＴ１０のゲートにＨレベルのクロック信号ＣＫＢが入力されることで第１０スイッチＴ１０は導通状態に切替えられ、第３走査信号Ｇｎ＋１を第１スイッチＴ１のゲートに出力する。また、第１４スイッチＴ１４も導通状態に切替えられ、第１４スイッチＴ１４は、低電圧ＶＧＬ２をノードＮＣに出力する。
【００８６】
続いて、第２走査期間Ｐｓｃ２に、シフトレジスタＳＲｎ＋２において、第１スイッチＴ１は導通状態に切替えられ、Ｈレベルのクロック信号ＣＫＯＣをＨレベルの第４走査信号Ｇｎ＋２として対応する走査線ＧＬ［（ｎ＋１）／２＋１］及びダミーシフトレジスタＤＳｎ＋３にそれぞれ出力する。
【００８７】
ここで、第１走査期間Ｐｓｃ１において、全てのシフトレジスタＳＲの第３スイッチＴ３及び第９スイッチＴ９も非導通状態に切替えられている。  
また、クロック信号ＣＫＡ，ＣＫＢ，ＣＫＤのレベル、制御信号ＦＤＯＮ２のレベルはＬレベルである。シフトレジスタＳＲｎ＋２において、スイッチＴ４，Ｔ５，Ｔ６，Ｔ７，Ｔ１０，Ｔ１２も非導通状態に切替えられている。  
第２走査停止期間Ｐｐ２以降も、同様に駆動される。
【００８８】
上述したように、走査線ドライバＧＤはダミーシフトレジスタＤＳを有し、シフトレジスタＳＲは第３スイッチＴ３を有している。そのため、実施例１の液晶表示装置の駆動方法によれば、複数の走査線ＧＬを走査する途中でシフトレジスタＳＲの電荷を全てリセットすることができ、全ての走査線ＧＬを電気的にフローティング状態にすることができる。そして、その状態でセンシングを行うことができる。
【００８９】
（実施例２）
次に、実施例２の液晶表示装置の駆動方法について説明する。走査線ドライバＧＤのスイッチが酸化物半導体を用いた半導体層を有するＴＦＴで形成されている場合、上記ＴＦＴのリーク電流が少ないため電荷が残り易く、ＴＦＴに一定の電圧がかかり続けるような状態では閾値シフトなどの信頼性に問題が生じることがあり得る。そこで、実施例２では、画像（映像）を表示しない非表示期間に、シフトレジスタＳＲ及びダミーシフトレジスタＤＳに電荷が残らないようにすることで、画素ＰＸでの電荷の偏りを小さくすることができる。
【００９０】
上記非表示期間は、例えば、液晶表示装置がスリープモードとなる期間であり、黒を表示する期間である。スリープモードでは、液晶表示装置は、ＩＣ機能を停止させ、定期的に黒を表示するための信号を書込むための書込み期間や非書込み期間を設けている。非書込み期間では、液晶表示装置はセンシングを行うことができる。液晶表示装置は、入力（例えば、指の接触又は接近）を検出するとスリープモードを終了し、ＩＣ機能を再開することができる。
【００９１】
ここで、実施例２の液晶表示装置の駆動方法の概要を説明する。  
液晶表示装置の動作期間は、画像を表示する表示期間Ｐｄと、上記表示期間から外れた期間であり画像を表示しない期間である非表示期間Ｐｎｄと、を有している。非表示期間Ｐｎｄは、書込み期間Ｐｗと、非書込み期間Ｐｎｗとを有している。
【００９２】
例えば、表示期間Ｐｄに、全てのシフトレジスタＳＲは、複数の走査線ＧＬを駆動する。書込み期間Ｐｗに、全てのシフトレジスタＳＲは、全ての走査線ＧＬを駆動する。非表示期間Ｐｎｄにおいて書込み期間Ｐｗに続く非書込み期間Ｐｎｗに、全てのシフトレジスタＳＲは、全ての走査線ＧＬを電気的にフローティング状態とする。
【００９３】
次に、図１１、及び図７乃至９を用い、実施例２の液晶表示装置の駆動方法について詳細に説明する。図１１は、上記実施形態の実施例２の液晶表示装置の駆動方法を説明するためのタイミングチャートである。図１１には、非表示期間における、各種の制御信号ＦＤＯＮ，ＲＳＴ、各種のクロック信号ＣＫ，ＣＫＯ、走査線ＧＬの電位、各種の低電圧ＶＧＬ、高電圧ＶＧＨ、コモン電圧Ｖｃｏｍ、駆動パルスＶｗを示す図である。
【００９４】
図１１、及び図７乃至９に示すように、非表示期間Ｐｎｄは、少なくとも１回の書込み期間Ｐｗと、少なくとも１回の非書込み期間Ｐｎｗと、最初の書込み期間Ｐｗの直前の期間であるリセット期間Ｐｒと、最終の非書込み期間Ｐｎｗに続く期間である初期化期間Ｐｉと、を有している。ここでは、液晶表示装置は、非表示期間Ｐｎｄにて入力（例えば、指の接触又は接近）を検出するまでセンシングを繰り返し、入力を検出した際に画像を表示する動作に移行するものとして説明する。本実施例２において、書込み期間Ｐｗ及び非書込み期間Ｐｎｗの回数は、２回である。
【００９５】
非表示期間Ｐｎｄにおいて、リセット期間Ｐｒに移行する前の期間に、制御信号ＦＤＯＮ，ＲＳＴ、クロック信号ＣＫ，ＣＫＯ、低電圧ＶＧＬ、高電圧ＶＧＨ、走査線ＧＬ、及び共通電極Ｃｏｍ（駆動単位電極Ｔｕ）の電圧レベルは、０Ｖ（ＧＮＤレベル）である。
なお、非表示期間Ｐｎｄにおいて、クロック信号ＣＫは同一波形となるクロック信号ＣＫＡ，ＣＫＢ，ＣＫＣ，ＣＫＤを表し、クロック信号ＣＫＯは同一波形となるクロック信号ＣＫＯＡ，ＣＫＯＢ，ＣＫＯＣ，ＣＫＯＤを表している。
【００９６】
リセット期間Ｐｒに移行すると、全てのシフトレジスタＳＲ及び全てのダミーシフトレジスタＤＳの第４スイッチＴ４のゲートにＨレベル（ここでは、第１極性）の信号（制御信号ＦＤＯＮ２）が入力されることで各々の第４スイッチＴ４は導通状態に切替えられ、第４スイッチＴ４はＬレベル（ここでは、第２極性）の制御信号ＦＤＯＮ１を対応する各々の第１スイッチＴ１のゲート（ノードＮＢ）に出力し、全ての第１スイッチＴ１を非導通状態に切替える。走査線ＧＬの電位は、キャパシタＣ１を介して接続されたノードＮＢの影響を受け、−５Ｖに設定される。  
そして、リセット期間Ｐｒに、クロック信号ＣＫ，ＣＫＯ、制御信号ＲＳＴ、及び低電圧ＶＧＬ１，ＶＧＬ２の電圧レベルはＬレベルに切替えられ、高電圧ＶＧＨの電圧レベルはＨレベルに切替えられる。
【００９７】
また、リセット期間Ｐｒと、リセット期間Ｐｒに続く書込み期間Ｐｗ及び非書込み期間Ｐｎｗにおいて、クロック信号ＣＫの電圧レベルはＬレベル（−５Ｖ）に固定される。全てのシフトレジスタＳＲ及び全てのダミーシフトレジスタＤＳにおいて、第５スイッチＴ５、第６スイッチＴ６、第７スイッチＴ７、第１０スイッチＴ１０、第１２スイッチＴ１２、及び第１５スイッチＴ１５は、それぞれ、ゲートにＬレベルの信号（クロック信号ＣＫ）が入力されることで非導通状態に切替えられる。
【００９８】
書込み期間Ｐｗ１に移行すると、制御信号ＦＤＯＮ１の電圧レベルがＨレベル（＋５Ｖ）に切替る。全てのシフトレジスタＳＲ及び全てのダミーシフトレジスタＤＳの第４スイッチＴ４のゲートにＨレベルの信号（制御信号ＦＤＯＮ２）が入力されているため、各々の第４スイッチＴ４は、導通状態に切替えられており、Ｈレベルの制御信号ＦＤＯＮ１を各々の第１スイッチＴ１のゲート（ノードＮＢ）に出力する。すると、全ての第１スイッチＴ１は導通状態に切替えられ、Ｌレベル（−５Ｖ）のクロック信号ＣＫＯを出力する。このため、全ての走査線ＧＬの電位は−５Ｖに維持される。
【００９９】
書込み期間Ｐｗ１において、その後、クロック信号ＣＫＯの電圧レベルはＨレベルに切替えられ、導通状態に切替えられている全ての第１スイッチＴ１は、Ｈレベルのクロック信号ＣＫＯを走査信号Ｇとして出力する。言い換えると、走査線ドライバＧＤ（全てのシフトレジスタＳＲ）は、Ｈレベルの走査信号Ｇを全ての走査線ＧＬに出力する。このため、全ての画素スイッチＳＷは導通状態に切替えられる。
【０１００】
その際、共通電極ドライバＣＤは、共通電極ＣＯＭ（全ての共通電極Ｃｏｍ）にコモン電圧Ｖｃｏｍを与える。信号線ドライバＳＤは、全ての信号線ＳＬ及び全ての画素スイッチＳＷを介して全ての画素電極ＰＥにコモン電圧Ｖｃｏｍを与える。画素電極ＰＥと共通電極ＣＯＭとの間に電界は発生しないため、液晶層ＬＣに電界は与えられず、黒表示が行なわれる（ノーマリーブラック・モード）。  
なお、上記の例と異なり、画素電極ＰＥに画像信号を与え、画素電極ＰＥと共通電極ＣＯＭとの間に生じる電界を液晶層ＬＣに与え、黒表示を行ってもよい（ノーマリーホワイト・モード）。
【０１０１】
書込み期間Ｐｗ１において、その後、クロック信号ＣＫＯの電圧レベルはＬレベル（−５Ｖ）に切替えられる。すると、走査線ドライバＧＤ（シフトレジスタＳＲ及びダミーシフトレジスタＤＳ）の全ての第１スイッチＴ１はＬレベル（−５Ｖ）のクロック信号ＣＫＯを走査信号Ｇとして出力する。全ての走査線ＧＬにＬレベル（−５Ｖ）の走査信号Ｇが出力されるため、全ての走査線ＧＬの電位は−５Ｖに切替えられ、全ての画素スイッチＳＷは非導通状態に切替えられる。
【０１０２】
書込み期間Ｐｗ１において制御信号ＦＤＯＮ１の電圧レベルがＬレベル（−５Ｖ）に切替った後の期間、及び書込み期間Ｐｗ１に続く非書込み期間Ｐｎｗ１に、全てのシフトレジスタＳＲ及び全てのダミーシフトレジスタＤＳの各々の第４スイッチＴ４は、導通状態に保持され、Ｌレベル（−５Ｖ）の制御信号ＦＤＯＮ１を各々の第１スイッチＴ１のゲートに出力し、全ての第１スイッチＴ１を非導通状態に切替える。これにより、全ての走査線ＧＬを電気的にフローティング状態とすることができる。そして、全ての走査線ＧＬをハイインピーダンス（Hi-z）にすることができる。走査線ＧＬは、−５Ｖ付近の電位に保持される。
【０１０３】
本実施例２において、非書込み期間Ｐｎｗ１はセンシング期間を兼ねている。非書込み期間Ｐｎｗ１に、上記ディスプレイドライバＤＤＩは共通電極Ｃｏｍ（駆動単位電極Ｔｕ）に駆動パルスＶｗを書込み、検出ドライバＴＰＩＣは検出電極Ｄｅから検出パルスＶｒを読取る。上記のように、非書込み期間Ｐｎｗ１に、センシングを行うことができる。
【０１０４】
本実施例２において、非書込み期間Ｐｎｗ１に、センサＳＳは、入力（例えば、指の接触又は接近）を検出しなかったため、センシングを繰り返す。そのため、書込み期間Ｐｗ２に移行した後、非書込み期間Ｐｎｗ２に移行する。本実施例２において、非書込み期間Ｐｎｗ２に、センサＳＳは入力（例えば、指の接触又は接近）を検出したため、液晶表示装置は画像を表示する動作に移行する。そこで、まず、初期化期間Ｐｉに移行する。
【０１０５】
非書込み期間Ｐｎｗ２に続く初期化期間Ｐｉに、制御信号ＦＤＯＮ１、クロック信号ＣＫＯ、制御信号ＲＳＴ、及び低電圧ＶＧＬ１，ＶＧＬ２の電圧レベルはＧＮＤ（０Ｖ）に切替る。クロック信号ＣＫはＨレベル（＋５Ｖ）に切替る。全てのシフトレジスタＳＲ及び全てのダミーシフトレジスタＤＳの各々の第４スイッチＴ４は、導通状態に保持され、０Ｖの電圧値を有する制御信号ＦＤＯＮ１を各々の第１スイッチＴ１のゲート（ノードＮＢ）に出力する。
【０１０６】
また、全てのシフトレジスタＳＲ及び全てのダミーシフトレジスタＤＳの各々の第５スイッチＴ５のゲート、第６スイッチＴ６のゲート、第７スイッチＴ７のゲート、第１０スイッチＴ１０のゲート、第１２スイッチＴ１２のゲート、及び第１５スイッチＴ１５のゲートにＨレベルの信号（クロック信号ＣＫ）が入力され、上記複数のスイッチＴは導通状態に切替えられる。
【０１０７】
全てのシフトレジスタＳＲ及び全てのダミーシフトレジスタＤＳにおいて、第５乃至第７スイッチＴ５乃至Ｔ７は、０Ｖの電圧値を有する低電圧ＶＧＬ１を初期化信号として全てのノードＮＡに出力し、ひいては全ての走査線ＧＬに出力する。走査線ＧＬの電位は０Ｖに切替えられる。第１５スイッチＴ１５は、０Ｖの電圧値を有する低電圧ＶＧＬ２を全てのノードＮＢに出力する。  
初期化期間Ｐｉの長さは、１０乃至１０００μｓの範囲内である。本実施例２では、初期化期間Ｐｉの長さは、１００μｓである。十分な長さの初期化期間Ｐｉを確保することで、シフトレジスタＳＲ及びダミーシフトレジスタＤＳでキャパシタＣ１を使用しても、ノードＮＢに電荷が残らないようにすることができる。
【０１０８】
そして、初期化期間Ｐｉに続く期間に、高電圧ＶＧＨの電圧レベルはＧＮＤ（０Ｖ）に切替り、制御信号ＦＤＯＮ２及びクロック信号ＣＫの電圧レベルもＧＮＤ（０Ｖ）に切替る。その後、画像を表示する表示期間Ｐｄに移行する。
【０１０９】
表示期間Ｐｄにおいては、液晶表示装置は、表示駆動され、画像を表示する。表示期間Ｐｄの各々のシフトレジスタＳＲにおいて、例えば、第２スイッチＴ２のゲートに１段前のシフトレジスタ（ここでは、ダミーシフトレジスタＤＳ）からＨレベルの走査信号Ｇ（又は、スタートパルス信号ＳＴ）が入力されることで第２スイッチＴ２は導通状態に切替えられ、第２スイッチＴ２は上記走査信号Ｇを第１スイッチＴ１のゲートに出力し、第１スイッチＴ１は導通状態に切替えられ、第１スイッチＴ１はＨレベルの走査信号Ｇを対応する走査線ＧＬ及び１段後のシフトレジスタ（ここでは、ダミーシフトレジスタＤＳ）にそれぞれ出力する。
【０１１０】
上述したように、液晶表示装置は、表示期間Ｐｄから外れた非表示期間Ｐｎｄに低い消費電力で駆動することができる。走査線ドライバＧＤの全てのシフトレジスタ（シフトレジスタＳＲ及びダミーシフトレジスタＤＳ）は第４スイッチＴ４を有している。そのため、実施例２の液晶表示装置の駆動方法によれば、低消費電力化と信頼性の向上とを図ることができる。
【０１１１】
上記のように構成された一実施形態に係る液晶表示装置及び液晶表示装置の駆動方法によれば、液晶表示装置は、実施例１の駆動方法を採用したり、実施例２の駆動方法を採用したり、することができる。そのため、本実施形態によれば、走査線ＧＬを電気的にフローティング状態にすることができる液晶表示装置を得ることができる。
【０１１２】
（一実施形態の変形例）
次に、上記実施形態の変形例に係る液晶表示装置について説明する。本変形例に係る液晶表示装置は、低電圧ＶＧＬの種類が２種類ではなく１種類である点で、上記実施形態と相違している。シフトレジスタＳＲ及びダミーシフトレジスタＤＳは、低電圧ＶＧＬ１を利用し、低電圧ＶＧＬ２を利用していない。次に、シフトレジスタＳＲ及びダミーシフトレジスタＤＳの回路構成について、シフトレジスタＳＲｎを代表して説明する。図１２は、上記実施形態の変形例に係る液晶表示装置のシフトレジスタＳＲｎを示す回路図である。
【０１１３】
図１２に示すように、シフトレジスタＳＲｎにおいて、第３スイッチＴ３、第９スイッチＴ９、第１３スイッチＴ１３、第１４スイッチＴ１４、及び第１５スイッチＴ１５は、低電圧ＶＧＬ（ここでは、ＶＧＬ１）が印加されている配線と接続されている。  
上記のように構成された変形例に係る液晶表示装置においても、走査線ＧＬを電気的にフローティング状態にすることができ得る。
【０１１４】
本発明の実施形態及び変形例を説明したが、これらの実施形態及び変形例は、例として提示したものであり、発明の範囲を限定することは意図していない。上述した新規な実施形態は、その他の様々な形態で実施されることが可能であり、発明の要旨を逸脱しない範囲で、種々の省略、置き換え、変更を行うことができる。上記実施形態やその変形は、発明の範囲や要旨に含まれるとともに、特許請求の範囲に記載された発明とその均等の範囲に含まれる。
【０１１５】
例えば、上述した実施形態において、走査線ドライバＧＤは、ダミーシフトレジスタＤＳ無しに構成されていてもよい。言い換えると、走査線ドライバＧＤは、縦続接続された複数のシフトレジスタＳＲで構成されていてもよい。この場合も、上述した実施形態の実施例２の駆動方法を実施することができ、走査線ドライバＧＤは第４スイッチＴ４を用いてシフトレジスタＳＲ（ダミーシフトレジスタＤＳ）に電荷が残らないようにすることができる。
【０１１６】
なお、上述した例では、ｎチャネル型のＴＦＴを使用しｐチャネル型のＴＦＴを使用していないシフトレジスタＳＲ（ダミーシフトレジスタＤＳ）について説明したが、シフトレジスタＳＲ（ダミーシフトレジスタＤＳ）は、ｐチャネル型のＴＦＴを使用しｎチャネル型のＴＦＴを使用していなくともよい。この場合も、上述した実施形態と同様の効果を得ることができる。
【０１１７】
液晶表示装置の表示モードは、特に限定されるものではない。上記表示モードとしては、ＩＰＳ（In-Plane Switching）モード、ＦＦＳ（Fringe-Field Switching）モードなどの横電界方式のモード、ＴＮ（Twisted Nematic）モード、ＯＣＢ（Optically Compensated Bend）モードなどの縦電界方式のモードを挙げることができる。
【０１１８】
上述した実施形態及びその変形例は、液晶表示装置に限らず、有機ＥＬ表示装置などの他の表示装置にも適用することができる。  
また、上述した実施形態及びその変形例では、走査線ドライバに適用した例を記載したが、上述した例に限定されずシフトレジスタ（シフトレジスタＳＲ及びダミーシフトレジスタＤＳ）を用いるあらゆる装置、機器に適用することも可能である。
【符号の説明】
【０１１９】
ＰＮＬ…液晶表示パネル、ＡＲ…アレイ基板、ＣＴ…対向基板、ＬＣ…液晶層、
ＤＡ…表示領域、ＮＤＡ…非表示領域、ＰＸ…画素、ＧＬ…走査線、ＳＬ…信号線、
ＳＷ…画素スイッチ、ＰＥ…画素電極、ＣＯＭ，Ｃｏｍ…共通電極、
ＤＤＩ…ディスプレイドライバ、ＣＤ…共通電極ドライバ、ＧＤ…走査線ドライバ、
ＳＤ…信号線ドライバ、ＳＳ…センサ、ＤＥ，Ｄｅ…検出電極、
ＴＰＩＣ…検出ドライバ、ＳＲ…シフトレジスタ、ＤＳ…ダミーシフトレジスタ、
Ｔ…スイッチ、Ｃ…キャパシタ、Ｖｃｏｍ…コモン電圧、ＶＧＬ…低電圧、
ＦＤＯＮ１，ＦＤＯＮ２，ＲＳＴ…制御信号、Ｇ，ＧＳ…走査信号、
Ｖｗ…駆動パルス、Ｖｒ…検出パルス、Ｐｓｃ…走査期間、Ｐｐ…走査停止期間、
Ｐｓｓ…センシング期間、Ｐｄ…表示期間、Ｐｎｄ…非表示期間、Ｐｒ…リセット期間、
Ｐｗ…書込み期間、Ｐｎｗ…非書込み期間、Ｐｉ…初期化期間。
【図１】
2019035842.tif 000003
【図２】
2019035842.tif 000004
【図３】
2019035842.tif 000005
【図４】
2019035842.tif 000006
【図５】
2019035842.tif 000007
【図６】
2019035842.tif 000008
【図７】
2019035842.tif 000009
【図８】
2019035842.tif 000010
【図９】
2019035842.tif 000011
【図１０】
2019035842.tif 000012
【図１１】
2019035842.tif 000013
【図１２】
2019035842.tif 000014